(57)【要約】【課題】故障診断する際に、人体検知センサにおける故障の有無を最初に判断する。【解決手段】通水路９に配置される電磁弁１と、人体を検知する人体検知センサ２と、人体検知センサ２の検知信号に基づいて電磁弁１を駆動させて、通水路９の通水を制御する制御回路５と、電磁弁１、人体検知センサ２、制御回路５に電源を供給する電源回路６とを備え、制御回路５の信号線ｂ，ｄおよび電源回路６の電源線ａ，ｃが、中継端子４、および中継端子４に接続されるリード線付き接続用コネクタ３を介して人体検知センサ２に接続される自動給水装置において、リード線付き接続用コネクタ３を取り外した中継端子４に、ジャンパ線付き検査用コネクタ７を接続して、人体検知センサ２に接続される電源線ｃと入力信号線ｄとを電気的に接続する。【選択図】図１
2012180701.tif 000002
【特許請求の範囲】
【請求項１】
通水路（９）に配置される電磁弁（１）と、発光回路（２１）および受光回路（２２）によって人体を検知する人体検知センサ（２）と、人体検知センサ（２）の受光回路（２２）の検知信号に基づいて電磁弁（１）を駆動させて、通水路（９）の通水を制御する制御回路（５）と、電磁弁（１）、人体検知センサ（２）、制御回路（５）に電源を供給する電源回路（６）とが配置されるとともに、
人体検知センサ（２）と制御回路（５）との間に、相互の信号を送受信するための中継端子（４）、および、該中継端子（４）に接続されるリード線付き接続用コネクタ（３）が配置され、
中継端子（４）およびリード線付き接続用コネクタ（３）によって、人体検知センサ（２）の発光回路（２１）に、電源回路（６）の電源線（ａ）および制御回路（５）の出力信号線（ｂ）が電気的に接続されるとともに、人体検知センサ（２）の受光回路（２２）に、電源回路（６）の電源線（ｃ）および制御回路（５）の入力信号線（ｄ）が電気的に接続され、
制御回路（５）から人体検知センサ（２）の発光回路（２１）に、出力信号線（ｂ）を通して発光制御信号が出力されるとともに、人体検知センサ（２）の受光回路（２２）から制御回路（５）に、入力信号線（ｄ）を通して前記検知信号が入力される自動給水装置において、
リード線付き接続用コネクタ（３）を取り外した中継端子（４）に接続され、電源回路（６）の電源線（ｃ）と制御回路（５）の入力信号線（ｄ）とを電気的に接続するジャンパ線付き検査用コネクタ（７）を備えたことを特徴とする自動給水装置。
【請求項２】
通水路（９）に配置される電磁弁（１）と、発光回路（２１）および受光回路（２２）によって人体を検知する人体検知センサ（２）と、人体検知センサ（２）の受光回路（２２）の検知信号に基づいて電磁弁（１）を駆動させて、通水路（９）の通水を制御する制御回路（５）と、電磁弁（１）、人体検知センサ（２）、制御回路（５）に電源を供給する電源回路（６）とが配置されるとともに、
人体検知センサ（２）と制御回路（５）との間に、相互の信号を送受信するための中継端子（４）、および、該中継端子（４）に接続されるリード線付き接続用コネクタ（３）が配置され、
中継端子（４）およびリード線付き接続用コネクタ（３）によって、人体検知センサ（２）の発光回路（２１）に、電源回路（６）の電源線（ａ）および制御回路（５）の出力信号線（ｂ）が電気的に接続されるとともに、人体検知センサ（２）の受光回路（２２）に、電源回路（６）の電源線（ｃ）および制御回路（５）の入力信号線（ｄ）が電気的に接続され、
制御回路（５）から人体検知センサ（２）の発光回路（２１）に、出力信号線（ｂ）を通して発光制御信号が出力されるとともに、人体検知センサ（２）の受光回路（２２）から制御回路（５）に、入力信号線（ｄ）を通して前記検知信号が入力される自動給水装置において、
前記制御回路（５）に、リード線付き接続用コネクタ（３）が前記中継端子（４）から取り外されたことを検知するコネクタ検知手段（４１）と、該コネクタ検知手段（４１）の検知信号に基づいて、電源回路（６）の電源線（ｃ）と制御回路（５）の入力信号線（ｄ）とを電気的に接続して、電磁弁（１）を強制的に駆動させる強制駆動手段（４２）とを備えたことを特徴とする自動給水装置。
【請求項３】
通水路（９）に配置される電磁弁（１）と、発光回路（２１）および受光回路（２２）によって人体を検知する人体検知センサ（２）と、人体検知センサ（２）の受光回路（２２）の検知信号に基づいて電磁弁（１）を駆動させて、通水路（９）の通水を制御する制御回路（５）と、電磁弁（１）、人体検知センサ（２）、制御回路（５）に電源を供給する電源回路（６）とが配置されるとともに、
人体検知センサ（２）と制御回路（５）との間に、相互の信号を送受信するための中継端子（４）、および、該中継端子（４）に接続されるリード線付き接続用コネクタ（３）が配置され、
中継端子（４）およびリード線付き接続用コネクタ（３）によって、人体検知センサ（２）の発光回路（２１）に、電源回路（６）の電源線（ａ）および制御回路（５）の出力信号線（ｂ）が電気的に接続されるとともに、人体検知センサ（２）の受光回路（２２）に、電源回路（６）の電源線（ｃ）および制御回路（５）の入力信号線（ｄ）が電気的に接続され、
制御回路（５）から人体検知センサ（２）の発光回路（２１）に、出力信号線（ｂ）を通して発光制御信号が出力されるとともに、人体検知センサ（２）の受光回路（２２）から制御回路（５）に、入力信号線（ｄ）を通して前記検知信号が入力される自動給水装置において、
電源回路（６）の電源線（ｃ）と制御回路（５）の入力信号線（ｄ）との間に、前記電磁弁（１）を手動でオン・オフする手動スイッチ（ＳＷ）を接続したことを特徴とする自動給水装置。
【請求項４】
通水路（９）に配置される電磁弁（１）と、発光回路（２１）および受光回路（２２）によって人体を検知する人体検知センサ（２）と、人体検知センサ（２）の受光回路（２２）の検知信号に基づいて電磁弁（１）を駆動させて、通水路（９）の通水を制御する制御回路（５）と、電磁弁（１）、人体検知センサ（２）、制御回路（５）に電源を供給する電源回路（６）とが配置されるとともに、
人体検知センサ（２）と制御回路（５）との間に、相互の信号を送受信するための中継端子（４）、および、該中継端子（４）に接続されるリード線付き接続用コネクタ（３）が配置され、
中継端子（４）およびリード線付き接続用コネクタ（３）によって、人体検知センサ（２）の発光回路（２１）に、電源回路（６）の電源線（ａ）および制御回路（５）の出力信号線（ｂ）が電気的に接続されるとともに、人体検知センサ（２）の受光回路（２２）に、電源回路（６）の電源線（ｃ）および制御回路（５）の入力信号線（ｄ）が電気的に接続され、
制御回路（５）から人体検知センサ（２）の発光回路（２１）に、出力信号線（ｂ）を通して発光制御信号が出力されるとともに、人体検知センサ（２）の受光回路（２２）から制御回路（５）に、入力信号線（ｄ）を通して前記検知信号が入力される自動給水装置において、
人体検知センサ（２）の人体検知領域に人体を位置させても給水されない場合、前記請求項１乃至３のいずれか１項の自動給水装置を用いて、電源線（ｃ）と入力信号線（ｄ）とを電気的に接続するようにしたことを特徴とする自動給水装置の故障診断方法。
【発明の詳細な説明】
【技術分野】
【０００１】
本発明は、例えば、給水口の近傍に位置した人体（手や足等）を検知して、給水が行われるトイレや洗面台の自動給水装置および自動給水装置の故障診断方法に関する。
【背景技術】
【０００２】
従来、トイレや洗面台などの自動給水装置として、例えば、図６に示すように、一端部が給水源側に連通するとともに、他端部が給水口側に連通する通水路（図示せず）の途中に配置された電磁弁５０と、給水口（図示せず）の近傍に配置された人体検知センサとしての赤外線センサ６０と、洗面台が取り付けられた壁面の下部（給水口の下方）に配置された制御箱（図示せず）とを備えたものが知られている（特許文献１参照）。
【０００３】
電磁弁５０は、通水路に配置された主弁部（図示せず）を開閉して、通水路の流量を調整できる構成になっている。そして、電磁弁５０は、電源回路６７の電源線ｅと、制御回路６６の出力信号線ｆとが接続され、該出力信号線ｆと入力信号線ｄとが制御回路６６において電気的に接続されることによって、駆動するように構成されている。
【０００４】
赤外線センサ６０は、赤外光を給水口の下方に向けて発光する発光回路６１と、該発光回路６１からの赤外光を受光するとともに、受光した赤外光の光量を電圧に変換する受光回路６２とを有している。また、赤外線センサ６０は、後述する制御箱の中継端子６５に接続されるコネクタ６４と、発光回路６１および受光回路６２に一端部が接続されるとともに、前記コネクタ６４に他端部が接続されるリード線（ａ〜ｄ）６３を有するリード線付き接続用コネクタを備えている。
【０００５】
制御箱は、上述した赤外線センサ６０のリード線付き接続用コネクタのコネクタ６４が接続される中継端子６５と、赤外線センサ６０の検知信号に基づいて電磁弁５０を駆動させて給水口に給水する制御回路６６と、電磁弁５０、赤外線センサ６０、制御回路６６に電源を供給する電源回路６７とを備えている。
【０００６】
そして、給水口の下方に差し出された人の手の有無により、赤外線センサ６０の受光回路６２における赤外線の受光量（電圧）が変化することによって、閉状態の電磁弁５０が開いて、給水口において所定時間の給水が行われる。
【先行技術文献】
【特許文献】
【０００７】
【特許文献１】特開平１０−３１１０７０号公報
【発明の概要】
【発明が解決しようとする課題】
【０００８】
しかしながら、前記従来の自動給水装置において、給水口の下方に、手を差し出しても、すなわち赤外線センサ６０の人体検知領域に手（人体）を配置しても、給水口から水が出ないという故障が生じた場合、その故障原因が、電源回路６７、制御回路（基板）６６、電磁弁５０、赤外線センサ６０のいずれであるのか、不明である。このため、電源回路６７、制御回路６６、電磁弁５０、赤外線センサ６０を順次診断していき、故障箇所を特定しているのが現況となっている。したがって、故障箇所を特定するのに時間を要するという問題がある。
【０００９】
ところで、電源回路６７の電源線ｃおよび制御回路６６の入力信号線ｄを電気的に接続して、電磁弁５０を駆動させて給水ができれば、赤外線センサ６０のみに故障があり、電源回路６７、電磁弁５０、制御回路６６は正常であると診断できる。したがって、故障診断する際に、電磁弁５０の電源線および信号線を電気的に接続できれば、診断作業の効率化が図れるが、このような技術思想は、前記公報には、何ら開示されていない。
【００１０】
そこで、本発明は、故障診断する際に、人体検知センサにおける故障の有無を最初に判断できるようにした自動給水装置および自動給水装置の故障診断方法を提供することを課題とする。
【課題を解決するための手段】
【００１１】
本発明に係る自動給水装置は、通水路９に配置される電磁弁１と、発光回路２１および受光回路２２によって人体を検知する人体検知センサ２と、人体検知センサ２の受光回路２２の検知信号に基づいて電磁弁１を駆動させて、通水路９の通水を制御する制御回路５と、電磁弁１、人体検知センサ２、制御回路５に電源を供給する電源回路６とが配置されるとともに、人体検知センサ２と制御回路５との間に、相互の信号を送受信するための中継端子４、および、該中継端子４に接続されるリード線付き接続用コネクタ３が配置され、中継端子４およびリード線付き接続用コネクタ３によって、人体検知センサ２の発光回路２１に、電源回路６の電源線ａおよび制御回路５の出力信号線ｂが電気的に接続されるとともに、人体検知センサ２の受光回路２２に、電源回路６の電源線ｃおよび制御回路５の入力信号線ｄが電気的に接続され、制御回路５から人体検知センサ２の発光回路２１に、出力信号線ｂを通して発光制御信号が出力されるとともに、人体検知センサ２の受光回路２２から制御回路５に、入力信号線ｄを通して前記検知信号が入力される自動給水装置において、リード線付き接続用コネクタ３を取り外した中継端子４に接続され、電源回路６の電源線ｃと制御回路５の入力信号線ｄとを電気的に接続するジャンパ線付き検査用コネクタ７を備えたことを特徴とする。
【００１２】
故障箇所を診断する場合、リード線付き接続用コネクタ３を中継端子４から取り外し、該中継端子４にジャンパ線付き検査用コネクタ７を接続する。すなわち、ジャンパ線付き検査用コネクタ７によって、人体検知センサ２に接続される電源線ｃと入力信号線ｄとが電気的に接続され、電磁弁１を駆動する制御回路５の出力信号線に電気的に接続される。この際、給水が行われれば、電源回路６、制御回路５、電磁弁１を診断することなく、人体検知センサ２のみが故障であると診断できる。
【００１３】
また、本発明に係る自動給水装置によれば、通水路９に配置される電磁弁１と、発光回路２１および受光回路２２によって人体を検知する人体検知センサ２と、人体検知センサ２の受光回路２２の検知信号に基づいて電磁弁１を駆動させて、通水路９の通水を制御する制御回路５と、電磁弁１、人体検知センサ２、制御回路５に電源を供給する電源回路６とが配置されるとともに、人体検知センサ２と制御回路５との間に、相互の信号を送受信するための中継端子４、および、該中継端子４に接続されるリード線付き接続用コネクタ３が配置され、中継端子４およびリード線付き接続用コネクタ３によって、人体検知センサ２の発光回路２１に、電源回路６の電源線ａおよび制御回路５の出力信号線ｂが電気的に接続されるとともに、人体検知センサ２の受光回路２２に、電源回路６の電源線ｃおよび制御回路５の入力信号線ｄが電気的に接続され、制御回路５から人体検知センサ２の発光回路２１に、出力信号線ｂを通して発光制御信号が出力されるとともに、人体検知センサ２の受光回路２２から制御回路５に、入力信号線ｄを通して前記検知信号が入力される自動給水装置において、前記制御回路５に、リード線付き接続用コネクタ３が前記中継端子４から取り外されたことを検知するコネクタ検知手段４１と、該コネクタ検知手段４１の検知信号に基づいて、電源回路６の電源線ｃと制御回路５の入力信号線ｄとを電気的に接続して、電磁弁１を強制的に駆動させる強制駆動手段４２とを備えたことを特徴とする。
【００１４】
故障箇所を診断する場合、人体検知センサ２のリード線付き接続用コネクタ３を中継端子４から取り外す。すなわち、リード線付き接続用コネクタ３が中継端子４から取り外されたことが検知されて、この検知信号に基づいて、制御回路５から電磁弁１に駆動信号が送信される。この際、給水が行われれば、電源回路６、制御回路５、電磁弁１には、異常はなく、人体検知センサ２のみに故障があると判断できる。
【００１５】
また、本発明に係る自動給水装置によれば、通水路９に配置される電磁弁１と、発光回路２１および受光回路２２によって人体を検知する人体検知センサ２と、人体検知センサ２の受光回路２２の検知信号に基づいて電磁弁１を駆動させて、通水路９の通水を制御する制御回路５と、電磁弁１、人体検知センサ２、制御回路５に電源を供給する電源回路６とが配置されるとともに、人体検知センサ２と制御回路５との間に、相互の信号を送受信するための中継端子４、および、該中継端子４に接続されるリード線付き接続用コネクタ３が配置され、中継端子４およびリード線付き接続用コネクタ３によって、人体検知センサ２の発光回路２１に、電源回路６の電源線ａおよび制御回路５の出力信号線ｂが電気的に接続されるとともに、人体検知センサ２の受光回路２２に、電源回路６の電源線ｃおよび制御回路５の入力信号線ｄが電気的に接続され、制御回路５から人体検知センサ２の発光回路２１に、出力信号線ｂを通して発光制御信号が出力されるとともに、人体検知センサ２の受光回路２２から制御回路５に、入力信号線ｄを通して前記検知信号が入力される自動給水装置において、電源回路６の電源線ｃと制御回路５の入力信号線ｄとの間に、前記電磁弁１を手動でオン・オフする手動スイッチＳＷを接続したことを特徴とする自動給水装置。
【００１６】
故障箇所を診断する場合、手動スイッチＳＷを手動でオンして、電磁弁１を駆動させて、給水が行われるか否かを確認する。この際、給水が行われれば、電源回路６、制御回路５、電磁弁１を診断することなく、人体検知センサ２のみが故障であると診断できる。
【００１７】
また、本発明に係る自動給水装置用の故障診断方法によれば、通水路９に配置される電磁弁１と、発光回路２１および受光回路２２によって人体を検知する人体検知センサ２と、人体検知センサ２の受光回路２２の検知信号に基づいて電磁弁１を駆動させて、通水路９の通水を制御する制御回路５と、電磁弁１、人体検知センサ２、制御回路５に電源を供給する電源回路６とが配置されるとともに、人体検知センサ２と制御回路５との間に、相互の信号を送受信するための中継端子４、および、該中継端子４に接続されるリード線付き接続用コネクタ３が配置され、中継端子４およびリード線付き接続用コネクタ３によって、人体検知センサ２の発光回路２１に、電源回路６の電源線ａおよび制御回路５の出力信号線ｂが電気的に接続されるとともに、人体検知センサ２の受光回路２２に、電源回路６の電源線ｃおよび制御回路５の入力信号線ｄが電気的に接続され、制御回路５から人体検知センサ２の発光回路２１に、出力信号線ｂを通して発光制御信号が出力されるとともに、人体検知センサ２の受光回路２２から制御回路５に、入力信号線ｄを通して前記検知信号が入力される自動給水装置において、人体検知センサ２の人体検知領域に人体を位置させても給水されない場合、前記いずれかの自動給水装置を用いて、電源線ｃと入力信号線ｄとを電気的に接続するようにしたことを特徴とする。
【発明の効果】
【００１８】
本発明によれば、人体検知センサの検知領域に人体を位置させても給水されない場合、人体検知センサに接続される電源線と入力信号線とを電気的に接続して、電磁弁を駆動させて、給水の有無を確認するようにしたので、人体検知センサにおける故障の有無を最初に診断することで、電源回路、制御回路、電磁弁を診断するか否かを判断できるようになる。したがって、故障診断作業の効率化を図ることができる。
【図面の簡単な説明】
【００１９】
【図１】本発明に係る自動給水装置の一実施形態を示す図であり、人体検知センサのリード線付き接続用コネクタを外して、電磁弁の電源線および信号線を、ジャンパ線付き検査用コネクタで接続した状態を示すブロック回路図。
【図２】図１の自動給水装置を備えた洗面台の概略図。
【図３】人体検知センサのリード線付き接続用コネクタが中継端子から取り外されたことを検知するコネクタ検知手段と、該コネクタ検知手段の検知信号に基づいて、電磁弁を強制的に駆動させる電磁弁駆動回路を備えたブロック回路図。
【図４】図３のブロック回路図の動作説明図であり、（ａ）は、人体検知センサのリード線付き接続用コネクタが取り外されたことを検知して、電磁弁が駆動する際の制御回路のフローチャート、（ｂ）は、人体検知センサのリード線付き接続用コネクタが取り外されたことを検知して、電磁弁が駆動するタイミングチャートを示す図。
【図５】外部（ケースの内壁）に、電源線ｃと入力信号線ｄとの間に手動スイッチを接続したブロック回路図。
【図６】従来の自動給水装置のブロック回路図。
【発明を実施するための形態】
【００２０】
本発明に係る自動給水装置の一実施形態について図１を参照しながら説明する。なお、本実施形態においては、自動給水装置を備えた洗面台を例にとって説明する。
【００２１】
本実施形態に係る自動給水装置Ａは、図１に示すように、後述する通水路９に配置される電磁弁１と、発光回路２１および受光回路２２によって人体を検知する人体検知センサ２と、人体検知センサ２の受光回路２２の検知信号に基づいて電磁弁１を駆動させて、通水路９の通水を制御する制御回路５と、電磁弁１、人体検知センサ２、制御回路５に電源を供給する電源回路６とが配置されるとともに、人体検知センサ２と制御回路５との間に、相互の信号を送受信するための中継端子４、および、該中継端子４に接続されるリード線付き接続用コネクタ３が配置されている。
【００２２】
そして、中継端子４およびリード線付き接続用コネクタ３によって、人体検知センサ２の発光回路２１に、電源回路６の電源線ａおよび制御回路５の出力信号線ｂが電気的に接続されるとともに、人体検知センサ２の受光回路２２に、電源回路６の電源線ｃおよび制御回路５の入力信号線ｄが電気的に接続されている。
【００２３】
そして、制御回路５から人体検知センサ２の発光回路２１に、出力信号線ｂを通して発光制御信号が出力されるとともに、人体検知センサ２の受光回路２２から制御回路５に、入力信号線ｄを通して前記検知信号が入力される。
【００２４】
電磁弁１は、人体検知センサ２の検知信号に基づいて駆動し、通水路９における流量を調整できる構成になっている。そして、電磁弁１は、電源回路６の電源線ｅと、制御回路５の出力信号線ｆとが接続され、該出力信号線ｆと入力信号線ｄとが制御回路５において電気的に接続されることによって、駆動するように構成されている。
【００２５】
人体検知センサ２は、赤外線を発光する発光回路２１と、該発光回路２１からの赤外光を受光する受光回路２２とを有する赤外線センサが使用されている。そして、人体検知センサ２は、赤外光が人体（胴部、手、足のうちいずれか）に向けて発光するように、給水口８の近傍に配置されている。すなわち、給水口８の近傍に人体検知領域が形成され、この人体検知領域に人体が位置することによって、赤外光が遮られて、赤外光の光量（電圧）が変化する。この変化した信号が、検知信号として制御回路５に入力信号線ｄを通って入力される。
【００２６】
リード線付き接続用コネクタ３は、人体検知センサ２の発光回路２１および受光回路２２に一端部が接続されたリード線３１と、該リード線３１の他端部に取り付けられたコネクタ３２とを有している。そして、リード線付き接続用コネクタ３は、制御回路５と人体検知センサ２とを電気的に接続している。
【００２７】
中継端子４は、電源回路６の電源線ａ，ｃおよび制御回路５の出力信号線ｂ，入力信号線ｄと、人体検知センサ２の発光回路２１の電源線ｂ，出力信号線ｂ、および、受光回路２２の電源線ｃ，入力信号線ｄとがリード線付き接続用コネクタ３を介して接続されるように構成されている。
【００２８】
制御回路５は、人体検知センサ２の発光回路２１からの赤外光の光量が、受光回路２２において変化した場合、すなわち、人体検知センサ２の人体検知領域に人体が位置して、赤外光の光量が変化した場合、電磁弁１に駆動信号を送信して給水を行うように構成されている。
【００２９】
電源回路６は、流水によって発電する発電機、および、該発電機によって給電される蓄電池（図示せず）を有する主電源と、複数の乾電池が直列接続されて構成される直流電源回路を有する補助電源とを備えている（図示せず）。そして、電源回路６は、通常、主電源から、制御回路５、人体検知センサ２、電磁弁１に電源を供給し、蓄電池の容量が所定値以下となった場合に、補助電源から、制御回路５、人体検知センサ２、電磁弁１に電源を供給するように構成されている。
【００３０】
ジャンパ線付き検査用コネクタ７は、リード線付き接続用コネクタ３を取り外した中継端子４に接続されるコネクタ７１を有し、該コネクタ７１は、電磁弁１に接続される、電源回路６の電源線ｃと制御回路５の入力信号線ｄとを電気的に接続するジャンパ線７２が配線されている。
【００３１】
ここで、上述した自動給水装置を備えた洗面台の構成について簡単に図２を参照して説明する。該洗面台Ｂは、壁面に取り付けられた洗面器（図示せず）と、該洗面器の上方に配置された給水口８と、該給水口８に一端部側が連通するとともに、給水源に他端部側が連通する通水路９と、該通水路９の途中に配置された前記自動給水装置Ａの電磁弁１と、給水口８の近傍に配置された前記自動給水装置Ａの人体検知センサ２と、電磁弁１および人体検知センサ２を制御する制御部が内設された制御箱１０とを備えている。
【００３２】
つぎに使用態様について説明する。給水口８の下方に手を差し入れても給水が行われない場合、すなわち、故障が生じた場合、制御箱１０を開いて、最初に、中継端子４からリード線付き接続用コネクタ３を取り外し、ジャンパ線付き検査用コネクタ７を中継端子４に接続して、給水の有無を確認する。この際、給水が行われれば、人体検知センサ２のみが故障であると診断できる。給水が行われない場合、電源回路６、制御回路５（基板）、電磁弁１のいずれが故障しているのかを順次診断する。
【００３３】
以上説明したように、本実施形態に係る自動給水装置は、故障が生じた場合、最初に、リード線付き接続用コネクタ３を中継端子４から取り外し、該中継端子４にジャンパ線付き検査用コネクタ７を接続して、電磁弁１を駆動させて、給水の有無を確認することで、人体検知センサ２のみに故障があると診断できるので、故障診断作業を短時間で処理できるようになる。
【００３４】
なお、本発明に係る自動給水装置は、前記実施の形態に限定することなく種々変更することができる。
【００３５】
例えば、前記実施形態の場合、電磁弁１に接続される、電源回路６の電源線ｃと制御回路５の入力信号線ｄとを電気的に接続するものとして、ジャンパ線付き検査用コネクタ７を使用したが、図３に示すように、リード線付き接続用コネクタ３が中継端子４から取り外されたことを検知するコネクタ検知手段４１を中継端子４に配置するとともに、該コネクタ検知手段４１の検知信号に基づいて、電磁弁１を強制的に駆動させる強制駆動手段４２を配置するようにしてもよい。
【００３６】
係る自動給水装置によれば、故障箇所を診断する場合、図４（ａ）に示すように、最初に、人体検知センサ２のリード線付き接続用コネクタ３を中継端子４から取り外す。すなわち、リード線付き接続用コネクタ３が中継端子４から取り外されたか否かをコネクタ検知手段４１によって検知し（Ｓ１）、この検知信号に基づいて、制御回路５から強制駆動手段４２に駆動信号を出力して、電磁弁１を強制駆動する（Ｓ２）。
【００３７】
コネクタ検知手段４１として、有接点のスイッチング素子（例えばリミットスイッチ）、または、無接点のスイッチング素子（例えばトランジスタ）が使用され、リード線付き接続用コネクタ３が中継端子４から取り外されると、図４（ｂ）に示すように、スイッチング素子からＨＩ信号が出力され、このＨＩ信号の立ち上がりを起点にして、電磁弁１を所定時間（５秒程度）駆動させる駆動信号（所定幅を有するパルス信号）が制御回路５から強制駆動手段４２に出力され、電磁弁１が強制駆動する。この強制駆動によって給水が行われれば、電源回路６、制御回路５、電磁弁１には、異常はなく、人体検知センサ２のみに故障があると判断できる。
【００３８】
また、図５に示すように、電源回路６の電源線ｃと制御回路５の入力信号線ｄとの間に、電磁弁１を手動でオン・オフする手動スイッチＳＷを接続するようにしてもよい。そして、故障箇所を診断する場合、最初に、手動スイッチＳＷを外部から手動でオン操作する。すなわち、電磁弁１の電源線ｃと信号線ｄとが手動スイッチＳＷによって電気的に接続される。
【００３９】
そして、この手動スイッチＳＷをオンした際に、給水が行われれば、電磁弁１、制御回路５、電源回路６を診断することなく、人体検知センサ２のみが故障であると診断できる。但し、この手動スイッチＳＷは、作業者のみがオン・オフ操作できるように、例えば、制御箱１０の内壁に取り付けることが好ましい。
【００４０】
また、前記実施形態の場合、人体検知センサ２として赤外線センサを備えた自動給水装置Ａを例にとって説明したが、超音波センサ、または、可視光センサを備えた自動給水装置であってもよく、発光された光を、遮断したり、反射したりすることで、人体を検知する光学式センサを備えた自動給水装置であってもよい。
【００４１】
また、前記実施形態の場合、自動給水装置として、洗面台を例にとって説明したが、トイレの自動水洗装置であっても、同様の効果を奏することは言うまでもない。
【符号の説明】
【００４２】
１，５０…電磁弁、２，６０…人体検知センサ、３…リード線付き接続用コネクタ、４，６５…中継端子、５，６６…制御回路、６，６７…電源回路、７…ジャンパ線付き検査用コネクタ、８…給水口、９…通水路、１０…制御箱、２１，６１…発光回路、２２，６２…受光回路、３１，６３…リード線、３２，６４…コネクタ、４１…コネクタ検知手段、４２…電磁弁１の強制駆動手段、７２…ジャンパ線、Ａ…自動給水装置、Ｂ…洗面台、ａ，ｃ…電源線、ｂ…出力信号線、ｄ…入力信号線、ＳＷ…手動スイッチ
【図１】
2012180701.tif 000003
【図２】
2012180701.tif 000004
【図３】
2012180701.tif 000005
【図４】
2012180701.tif 000006
【図５】
2012180701.tif 000007
【図６】
2012180701.tif 000008